(57)【要約】【課題】キャリアアグリゲーションの周波数バンドの組合せの設定と各バンドの周波数情報の設定を容易にして、キャリアアグリゲーションの試験を容易に行なうことができる移動端末試験装置を提供すること。【解決手段】移動体通信端末２からUE Capability Informationを取得し、UE Capability InformationのCarrier Aggregation Band Combination Listに設定されている周波数バンドの組合せの一覧を表示させ、その一覧から選択された組合せの周波数バントに従ってキャリアアグリゲーションの各セルの周波数情報を設定する制御部１４を備える。【選択図】図１
2018201067.tif 000002
【特許請求の範囲】
【請求項１】
移動体通信の基地局を擬似して移動体通信端末（２）を試験する移動端末試験装置（１）であって、
前記移動体通信端末との通信によりUE Capability Informationを取得し、該UE Capability InformationのCarrier Aggregation Band Combination Listに基づいてキャリアアグリゲーションの各ＣＣの周波数情報を設定する制御部（１４）を備える移動端末試験装置。
【請求項２】
前記制御部は、前記Carrier Aggregation Band Combination Listに設定されている周波数バンドの組合せの一覧を表示させ、該一覧から選択された組合せの周波数バントに従ってキャリアアグリゲーションの各ＣＣの周波数情報を設定する請求項１に記載の移動端末試験装置。
【請求項３】
前記制御部は、前記Carrier Aggregation Band Combination Listに基づいて、ＰＣＣとして設定できる周波数バンドを判別し、ＰＣＣとして設定する周波数バンドの情報を含めて前記周波数バンドの組合せの一覧を表示させる請求項２に記載の移動端末試験装置。
【請求項４】
移動体通信の基地局を擬似して移動体通信端末（２）を試験する移動端末試験装置（１）の周波数情報設定方法であって、
キャリアアグリゲーションの各ＣＣの周波数情報を設定するとき、
前記移動体通信端末との通信によりUE Capability Informationを取得するステップと、
該UE Capability InformationのCarrier Aggregation Band Combination Listに基づいてキャリアアグリゲーションの各ＣＣの周波数情報を設定するステップと、を備える周波数情報設定方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行ない、この通信の内容を確認する試験を行なっている。
【０００３】
また、無線通信の規格を作成している３ＧＰＰ（3rd Generation Partnership Project）では、ＬＴＥ−Ａ（Long Term Evolution-Advanced）の規格のなかで、キャリアアグリゲーション（Carrier Aggregation）技術が導入されている。このキャリアアグリゲーションは、複数のＬＴＥキャリアを同時に用いて通信を行なうことで、伝送速度の向上を図るものである。
【０００４】
キャリアアグリゲーションにおいては、コンポーネントキャリア（以下、ＣＣともいう）と呼ばれるＬＴＥキャリアを複数用いて通信を行なう。キャリアアグリゲーションでは、移動体通信端末が基地局との接続を維持するために必要なＣＣである１つのプライマリコンポーネントキャリア（以下、ＰＣＣともいう）と、移動体通信端末と基地局との伝送速度を向上させるために使用されるＣＣである１つ以上のセカンダリコンポーネントキャリア（以下、ＳＣＣともいう）とにより通信が行なわれる。
【０００５】
特許文献１には、ＰＣＣとＳＣＣのパラメータの入れ替えを容易にして、試験の簡易性を向上させ、試験時間を短縮させることが開示されている。
【先行技術文献】
【特許文献】
【０００６】
【特許文献１】特開２０１６−１１１５１０号公報
【発明の概要】
【発明が解決しようとする課題】
【０００７】
キャリアアグリゲーションでは、キャリアアグリゲーションを行なう周波数バンドの組合せが規定されている。また、キャリアアグリゲーションを行なう移動体通信端末では、対応可能な周波数バンドの組合せが決められて設定されている。
【０００８】
キャリアアグリゲーションの試験を行なう場合、移動体通信端末が対応している周波数バンドの組合せで試験装置の設定をしなければならないが、移動体通信端末の仕様を把握していないと、どの組合せに対応しているのかが分からず、試験装置の設定ができない。
【０００９】
また、キャリアアグリゲーションを行なう複数のＣＣの設定を行なわなければならず、設定に時間がかかっていた。
【００１０】
そこで、本発明は、キャリアアグリゲーションの周波数バンドの組合せの設定と各バンドの周波数情報の設定を容易にして、キャリアアグリゲーションの試験を容易に行なうことができる移動端末試験装置を提供することを目的としている。
【課題を解決するための手段】
【００１１】
本発明の移動端末試験装置は、移動体通信の基地局を擬似して移動体通信端末を試験する移動端末試験装置であって、前記移動体通信端末との通信によりUE Capability Informationを取得し、該UE Capability InformationのCarrier Aggregation Band Combination Listに基づいてキャリアアグリゲーションの各ＣＣの周波数情報を設定する制御部を備えるものである。
【００１２】
この構成により、移動体通信端末が対応している周波数バンドの組合せでキャリアアグリゲーションの各ＣＣの周波数情報が設定される。このため、キャリアアグリゲーションの周波数バンドの組合せの設定と各周波数バンドの周波数情報の設定を容易に行なうことができ、キャリアアグリゲーションの試験を容易に行なうことができる。
【００１３】
また、本発明の移動端末試験装置において、前記制御部は、前記Carrier Aggregation Band Combination Listに設定されている周波数バンドの組合せの一覧を表示させ、該一覧から選択された組合せの周波数バントに従ってキャリアアグリゲーションの各ＣＣの周波数情報を設定するものである。
【００１４】
この構成により、移動体通信端末が対応している周波数バンドの組合せの一覧が表示され、その一覧から選択された周波数バンドの組合せでキャリアアグリゲーションの各ＣＣの周波数情報が設定される。このため、ユーザの要望に合った周波数バンドの組合せで周波数情報の設定を行なうことができ、キャリアアグリゲーションの試験を容易に行なうことができる。
【００１５】
また、本発明の移動端末試験装置において、前記制御部は、前記Carrier Aggregation Band Combination Listに基づいて、ＰＣＣとして設定できる周波数バンドを判別し、ＰＣＣとして設定する周波数バンドの情報を含めて前記周波数バンドの組合せの一覧を表示させるものである。
【００１６】
この構成により、ＰＣＣとして設定できる周波数バンドが判別され、ＰＣＣとする周波数バンドとＳＣＣとする周波数バンドが周波数バンドの組合せの一覧に表示される。このため、ＰＣＣとして設定できる周波数バンドを判別して周波数情報を設定する必要がなく、キャリアアグリゲーションの試験を容易に行なうことができる。
【００１７】
また、本発明の移動端末試験装置の周波数情報設定方法は、移動体通信の基地局を擬似して移動体通信端末を試験する移動端末試験装置の周波数情報設定方法であって、キャリアアグリゲーションの各ＣＣの周波数情報を設定するとき、前記移動体通信端末との通信によりUE Capability Informationを取得するステップと、該UE Capability InformationのCarrier Aggregation Band Combination Listに基づいてキャリアアグリゲーションの各ＣＣの周波数情報を設定するステップと、を備えるものである。
【００１８】
この構成により、移動体通信端末が対応している周波数バンドの組合せでキャリアアグリゲーションの各ＣＣの周波数情報が設定される。このため、キャリアアグリゲーションの周波数バンドの組合せの設定と各周波数バンドの周波数情報の設定を容易に行なうことができ、キャリアアグリゲーションの試験を容易に行なうことができる。
【発明の効果】
【００１９】
本発明は、キャリアアグリゲーションの試験を容易に行なうことができる移動端末試験装置を提供することができる。
【図面の簡単な説明】
【００２０】
【図１】図１は、本発明の一実施形態に係る移動端末試験装置のブロック図である。
【図２】図２は、本発明の一実施形態に係る移動端末試験装置の移動体通信端末が通信可能な周波数バンドの組合せの一覧の表示例を示す図である。
【図３】図３は、本発明の一実施形態に係る移動端末試験装置の周波数設定処理の手順を説明するフローチャートである。
【発明を実施するための形態】
【００２１】
以下、図面を参照して、本発明の実施形態に係る移動端末試験装置について詳細に説明する。
【００２２】
図１において、本発明の一実施形態に係る移動端末試験装置１は、擬似基地局として同軸ケーブル等を介して有線で移動体通信端末２と無線信号を送受信するようになっている。
【００２３】
移動端末試験装置１は、操作部１１と、表示部１２と、表示制御部１３と、制御部１４と、シナリオ生成部１５と、記憶部１６と、シナリオ処理部１７と、擬似基地局部１８−１と、擬似基地局部１８−２と、擬似基地局部１８−３と、結合器１９とを含んで構成されている。
【００２４】
操作部１１は、キーボード、マウス、タッチパネル等の入力機器で構成され、操作入力されたシナリオの生成に必要な情報などを表示制御部１３に出力する。表示部１２は、液晶ディスプレイ等の画像表示機器で構成され、シナリオの生成に必要な情報を入力させる画像や試験中の状態を示す画像などを表示する。
【００２５】
表示制御部１３は、表示部１２に表示させる画像を生成して表示させるものであり、制御部１４の指示により画像の生成と表示の制御を行なうようになっている。また、表示制御部１３は、操作部１１に入力された情報に基づいて表示部１２の表示を変更させたり、操作部１１に入力された情報を制御部１４に送信したりする。
【００２６】
制御部１４は、操作部１１に入力された指示に従って、シナリオの作成画面を表示制御部１３により表示部１２に表示させてシナリオの生成に必要な情報を入力させたり、シナリオの作成画面で操作部１１に入力された情報をシナリオ生成部１５に送信してシナリオを生成させたりする。また、制御部１４は、操作部１１に入力された指示に従って、シナリオ処理部１７に指示を送信して記憶部１６に記憶されたシナリオに基づいて試験を実行させたり、シナリオ処理部１７から送信される擬似基地局部１８−１、１８−２、１８−３の状態や移動体通信端末２との通信の状態などの情報に基づいて表示制御部１３により表示部１２に試験中の状態などを表示させたりする。
【００２７】
シナリオ生成部１５は、制御部１４から送信されたシナリオ生成のための情報に基づいて、移動体通信端末２を試験するためのシナリオを生成する。このシナリオには、擬似基地局部１８−１、１８−２、１８−３の動作の設定や、移動体通信端末２との通信シーケンスが設定される。シナリオ生成部１５は、シナリオ生成のための情報に基づいて擬似基地局部１８−１、１８−２、１８−３から送信する送信情報を生成する送信情報生成部１５０を備えている。
【００２８】
送信情報生成部１５０は、シナリオ生成のための情報に基づいて擬似基地局部１８−１、１８−２、１８−３の報知情報や位置登録処理における送信情報などを生成する。送信情報生成部１５０は、例えば、個別に設定された擬似基地局部１８−１、１８−２、１８−３の擬似する基地局の動作の設定の情報に基づいて、報知情報を生成する。
【００２９】
記憶部１６は、ハードディスク装置やフラッシュメモリで構成され、シナリオ生成部１５で生成された各種のシナリオを記憶する。
【００３０】
シナリオ処理部１７は、制御部１４からの指示により、記憶部１６に記憶されているシナリオを読み出して、そのシナリオに基づいて擬似基地局部１８−１、１８−２、１８−３に、報知情報を送信させたり、移動体通信端末２との間で通信シーケンスを実行させたりする。
【００３１】
擬似基地局部１８−１、擬似基地局部１８−２、擬似基地局部１８−３は、シナリオ処理部１７の指示により、移動体通信端末２との間で無線信号を送受信する。
【００３２】
結合器１９は、擬似基地局部１８−１、１８−２、１８−３の送信する無線信号を結合して移動体通信端末２に送信する。また、結合器１９は、移動体通信端末２から受信した信号を擬似基地局部１８−１、１８−２、１８−３それぞれに送信する。
【００３３】
ここで、移動端末試験装置１は、移動体通信端末２と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００３４】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００３５】
このように、本実施形態において、記憶部１６は、ＲＡＭ又はハードディスク装置によって構成され、表示制御部１３、制御部１４、シナリオ生成部１５及びシナリオ処理部１７は、ＣＰＵによって構成され、擬似基地局部１８−１、１８−２、１８−３は、通信モジュールによって構成される。
【００３６】
このような構成の移動端末試験装置１において、移動体通信端末２の試験を行なう場合、まず、ユーザにより試験に使用するシナリオの作成が行なわれる。制御部１４は、ユーザによる操作部１１の操作によりシナリオの作成の機能が選択されると、例えば、表示部１２にシナリオ作成画面を表示させて、擬似基地局部１８−１、１８−２、１８−３で擬似する基地局の情報や実行させたいシーケンスなどを設定させる。
【００３７】
ユーザは、目的の試験に合わせて各種情報を基地局ごとに設定する。制御部１４は、設定された情報をシナリオ生成部１５に送信して擬似基地局のシナリオを生成させる。シナリオ生成部１５は、制御部１４から受信した情報に基づいて、報知情報やシーケンス情報などを生成し、擬似基地局のシナリオとして識別情報と関連付けて記憶部１６に記憶させる。
【００３８】
キャリアアグリゲーションの試験を行なう場合、移動体通信端末２が対応している周波数バンドの組合せでシナリオの設定をしなければならない。本実施形態の移動端末試験装置１では、移動体通信端末２から取得できるUE Capability InformationのCarrier Aggregation Band Combination Listに基づいて、ＣＣとしてのセルの周波数情報を設定する。
【００３９】
移動体通信端末２から取得できる情報から擬似基地局部１８−１、１８−２、１８−３で擬似するセルの周波数情報を設定させるとき、ユーザは、移動端末試験装置１と移動体通信端末２とを有線で接続し、移動体通信端末２の電源を入れるなどして位置登録を行なわせる。
【００４０】
シナリオ処理部１７は、位置登録のシーケンス中にUE Capability Informationを移動体通信端末２から受信すると、その内容を制御部１４に送信する。なお、位置登録時の情報に限らず、制御部１４からの要求によりシナリオ処理部１７が、UE Capability Informationの送信を移動体通信端末２に要求し、受信したUE Capability Informationを制御部１４に送信するようにしてもよい。
【００４１】
制御部１４は、UE Capability Informationをシナリオ処理部１７から受信すると、UE Capability InformationのCarrier Aggregation Band Combination Listに基づいて、移動体通信端末２が通信可能な周波数バンドの組合せの一覧を、例えば、図２に示すように表示部１２に表示させる。
【００４２】
図２において、リリースバージョン表示部１０１は、移動体通信端末２が対応している３ＧＰＰのリリースバージョンを表示する。カテゴリー表示部１０２は、移動体通信端末２のカテゴリーを表示する。サポートバンド表示部１０３は、移動体通信端末２の対応する周波数バンドを表示する。バンドコンビネーションリスト１０４には、移動体通信端末２が通信可能な周波数バンドの組合せの一覧を表示する。これらの情報は、UE Capability Informationにより取得できる情報である。
【００４３】
バンドコンビネーションリスト１０４には、「CA Config」の列にキャリアアグリゲーションの周波数バンドの組合せが表示される。例えば、図中破線で囲んだＡの「1A-8A-3A」は、バンド１のＡクラスと、バンド３のＡクラスと、バンド８のＡクラスの周波数バンドの組合せを示している。なお、図２では、ＰＣＣとなる周波数バンドを一番左側に表示している。すなわち、「8A-3A-1A」、「3A-8A-1A」、「1A-8A-3A」は、周波数バンドの組合せは同じだが、ＰＣＣとなる周波数バンドが異なっている。ＰＣＣとなる周波数バンドは、Carrier Aggregation Band Combination Listにおいてアップリンクの使用が可能と設定されている周波数バンドが選択される。
【００４４】
バンドコンビネーションリスト１０４の「PCell」の列には、ＰＣＣとなるセルの周波数バンドが表示される。バンドコンビネーションリスト１０４の「SCell#1」、「SCell#2」、「SCell#3」の列には、ＳＣＣとなるセルの周波数バンドが表示される。
【００４５】
このように表示されたバンドコンビネーションリスト１０４から、ユーザの操作部１１の操作、例えば、マウス等のクリックで、例えば、Ａの破線で示した「1A-8A-3A」の行が選択され、選択ボタン１０５が、例えば、マウス等のクリックで選択されると、制御部１４は、選択された「1A-8A-3A」の組合せで擬似基地局部１８−１、１８−２、１８−３が擬似するセルの周波数情報を設定する。周波数情報としては、周波数バンド毎に予め設定された値を設定したり、各周波数バンドの中央値を設定したりする。
【００４６】
その後、ユーザの操作部１１の操作により、他の情報や周波数情報の変更が設定され、ユーザの設定が終了すると、制御部１４は、設定された情報をシナリオ生成部１５に送信して擬似基地局のシナリオを生成させる。
【００４７】
以上のように構成された本実施形態に係る移動端末試験装置１よる周波数設定処理について、図３を参照して説明する。なお、以下に説明する周波数設定処理は、ユーザによる操作部１１の操作により移動体通信端末２の対応するバンドコンビネーションからの周波数情報の設定が選択されると開始される。
【００４８】
ステップＳ１において、制御部１４は、移動体通信端末２にメッセージを送信するなどして、UE Capability Informationを移動体通信端末２から取得する。
【００４９】
ステップＳ２において、制御部１４は、取得したUE Capability Informationを基に図２に示すような、CA Band Combination Listを表示部１２に表示させる。
【００５０】
ステップＳ３において、制御部１４は、図２に示したバンドコンビネーションリスト１０４からキャリアアグリゲーションの周波数バンドの組合せを選択させる。
【００５１】
ステップＳ４において、制御部１４は、選択された周波数バンドの組合せに応じた周波数情報を擬似基地局部１８−１、１８−２、１８−３が擬似するセルの周波数情報として設定する。
【００５２】
ステップＳ５において、制御部１４は、ユーザの操作部１１の操作によりシナリオの設定の終了が選択されると、設定された情報をシナリオ生成部１５に送信して擬似基地局のシナリオを生成させる。
【００５３】
なお、本実施形態においては、移動体通信端末２が通信可能な周波数バンドの組合せの一覧を表示部１２に表示させ、ユーザに周波数バンドの組合せを選択させたが、制御部１４が予め設定された選択方法により自動的に周波数バンドの組合せを選択するようにしてもよい。
【００５４】
このように、上述の実施形態では、移動体通信端末２からUE Capability Informationを取得し、UE Capability InformationのCarrier Aggregation Band Combination Listに基づいてキャリアアグリゲーションの周波数バンドの組合せを決め、その周波数バンドの組合せで各セルの周波数情報を設定している。
【００５５】
これにより、移動体通信端末２が対応している周波数バンドの組合せで各セルの周波数情報が設定される。このため、キャリアアグリゲーションの周波数バンドの組合せの設定と各周波数バンドの周波数情報の設定を容易に行なうことができ、キャリアアグリゲーションの試験を容易に行なうことができる。
【００５６】
また、Carrier Aggregation Band Combination Listに設定されている周波数バンドの組合せの一覧を表示させ、その一覧から選択された組合せの周波数バントに従って各セルの周波数情報を設定する。
【００５７】
これにより、移動体通信端末２が対応している周波数バンドの組合せが表示部１２に表示され、その中から選択された周波数バンドの組合せで各セルの周波数情報が設定される。このため、ユーザの要望に合った周波数バンドの組合せで周波数情報の設定を行なうことができ、キャリアアグリゲーションの試験を容易に行なうことができる。
【００５８】
また、Carrier Aggregation Band Combination Listにおいてアップリンクの使用が可能と設定されている周波数バンドをＰＣＣとして設定できる周波数バンドとしてバンドコンビネーションリスト１０４にＰＣＣとする周波数バンドとＳＣＣとする周波数バンドを表示させている。
【００５９】
これにより、ＰＣＣとして設定できる周波数バンドが判別され、バンドコンビネーションリスト１０４にＰＣＣとする周波数バンドとＳＣＣとする周波数バンドが表示される。このため、ＰＣＣとして設定できる周波数バンドを判別して周波数情報を設定する必要がなく、キャリアアグリゲーションの試験を容易に行なうことができる。
【００６０】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００６１】
１  移動端末試験装置
２  移動体通信端末
１１  操作部
１２  表示部
１４  制御部
１７  シナリオ処理部
１０４  バンドコンビネーションリスト
１０５  選択ボタン
【図１】
2018201067.tif 000003
【図２】
2018201067.tif 000004
【図３】
2018201067.tif 000005